(57)【要約】【課題】原稿の両面を読み取る画像読取装置において、常に良好な状態で読取動作を行うことができる画像読取装置を提供する。【解決手段】カバー部１７に第一プラテンローラ２８及びＣＩＳ３１を取り付け、読取本体部１８にスキャナ１９及び第二プラテンローラ３０を取り付けたので、カバー部１７の開閉動作により読取手段とプラテンローラとの間を離間可能とし、清掃等の作業を容易にする。また、第二プラテンローラ３０にシェーディング部及びブラシ部を設け、原稿の非搬送時に回転制御することで、ブラシ部によりＣＩＳ３１の表面を清掃して異物を除去する。こうして、常にＣＩＳ３１の表面を良好な状態に保つことができる。【選択図】　　　　図２
2004048184.tif 000002
【特許請求の範囲】
【請求項１】
原稿を所定方向に搬送する搬送手段と、前記原稿の搬送路の一方の側に配置されて前記原稿の一方の面を読み取る読取手段と、前記原稿の搬送路を介して前記読取手段に対向するローラとを備え、前記ローラの表面にシェーディング部及び異物除去部を設けるとともに前記ローラの回転を制御する回転制御手段を備えることを特徴とする画像読取装置。
【請求項２】
前記ローラの下方には異物収容部が備えられていることを特徴とする請求項１記載の画像読取装置。
【請求項３】
前記回転制御手段は、用紙搬送時には前記シェーディング部を前記読取手段に対向させるとともに用紙非搬送時には前記異物除去部を前記読取手段に対向させて回転動作させることを特徴とする請求項１又は２記載の画像読取装置。
【発明の詳細な説明】
【０００１】
【発明の属する技術分野】
本発明は、複写機、ファクシミリ装置などの画像形成装置に適用可能な、原稿の両面を読取可能な画像読取装置に関する。
【０００２】
【従来の技術】
従来、自動原稿送り装置（ＡＤＦ）を備えた画像形成装置においては、搬送ベルトにより原稿を搬送してプラテンガラス上に位置決めし、プラテンガラスの下方をスキャナが移動して原稿を読み取るシート固定タイプと、プラテンガラスの下方にスキャナを停止させておき、原稿を一定速度でプラテンガラス上を搬送させながら原稿の読み取りを行うシートスルータイプが知られている。
【０００３】
原稿の両面を読み取る場合、シート固定タイプでは、一旦プラテンガラス上で原稿を停止させることから、両面を読み取るためには原稿を反転した後再度原稿を停止させることが必要であり、読取処理に時間がかかる欠点がある。シートスルータイプでは、例えば、特開平７−１７５２７９号公報には、原稿の表面を読み取って原稿を排出口まで搬送した後原稿の後端から原稿の送給経路に戻して再度原稿を搬送して原稿の裏面を読み取る原稿処理機が記載されている。ただし、この場合、原稿両面の読み取りが完了した後に、そのまま原稿を排出していくと原稿のページ順が揃わなくなるため、もう一度送給経路に原稿を戻してから排出するようにしており、一枚の原稿に３回搬送処理を行う必要がある。
【０００４】
そこで、例えば、特開平１−１９４６５８号公報に記載されているように、読取手段を２つ用いて原稿が搬送される搬送経路の両側にそれぞれ配置して、原稿の表面及び裏面を１回の搬送で読み取ることが行われている。こうすることで、読取手段の数は増加するが、原稿の搬送は１回で済み、読取処理時間も短縮することができる。
【０００５】
こうした読取手段を２つ用いた従来の画像読取装置は、読取処理時間の短縮等のメリットはあるものの、原稿の搬送経路中において、読取手段とプラテンとの間の狭い間隔に設定される部分が２箇所に増加したことから、当然原稿搬送時のジャムの発生が増加するとともに、原稿を搬送する際に生じる紙粉等の汚れが２つの読取手段に付着することから、その清掃についても当然頻繁に行う必要が生じてくる。
【０００６】
読取手段は、光源の照射むら等によるシェーディング歪みを補正するシェーディング補正を行っており、その際に白色均一の白色基準面を読取手段に対向させている。こうしたシェーディング補正は、読取原稿毎等頻繁に行われており、読取手段の読取面や白色基準面に紙粉等の異物が付着していると、シェーディング補正が正確に行われなくなる。こうしたことから、例えば特開２００１−３１３７９４号公報では、イメージセンサに対向して設置されたガイドローラに白色基準面及びガイド面を設け、原稿搬送時にはガイド面をイメージセンサに対向させ、シェーディング補正時に白色基準面をイメージセンサに対向させるようにガイドローラを回転制御することで、紙粉等が付着しやすい原稿搬送時に白色基準面が汚れるのを防止しようとする点が記載されている。
【０００７】
【発明が解決しようとする課題】
こうした従来技術では、上述したように読取手段とプラテン面との狭い間隔を清掃することが必要であり、ジャム等に対するメンテナンスへの対応も必要となる。特に、頻繁に行われるシェーディング補正を不正確にするような汚れ等への対応が必要となる。特開２００１−３１３７９４号公報ではガイドローラの切換で対応しているが、紙粉等の汚れは原稿への接触面だけではなく、飛散することもあり、結局白色基準面に汚れ等が付着することを完全に防止することはできない。
【０００８】
特開２００１−３１３７９４号公報に記載の画像読取装置では、原稿の搬送経路は原稿トレイから下方向に湾曲してＵ字状に設定されているため、原稿トレイで原稿の上面（表面）側に付着している紙粉等の汚れは下方向に湾曲して搬送される途中で搬送経路に沿って設けられたガイドに接触して原稿から分離しやすい。分離した紙粉等は、一旦下側のガイドに堆積したり、ガイドに沿って落下したりする。ガイドに蓄積した紙粉等の汚れは、後続の原稿の下面（裏面）に付着してそのまま第２イメージセンサの所まで搬送される。また、ガイドに沿って落下した紙粉等の汚れは、先行して搬送される原稿の上面（Ｕ字状に搬送されて裏面が上面となっている）に付着してそのまま第２イメージセンサの所まで搬送される。このように、Ｕ字状の搬送経路では、原稿の表面だけではなく、原稿の裏面についても汚れが付着しやすい環境にある。そして、一旦分離した紙粉等は飛散しやすく、読取手段に接触すると、接触面だけでなくその近傍を汚すことになる。したがって、原稿の両面を読み取る読取手段には、常に紙粉等の異物が付着するおそれがある。
【０００９】
本発明は、従来の画像読取装置が有しているこうした難点を解決した画像読取装置を提供することを目的とするものである。
【００１０】
【課題を解決するための手段】
本発明に係る画像読取装置は、原稿を所定方向に搬送する搬送手段と、前記原稿の搬送路の一方の側に配置されて前記原稿の一方の面を読み取る読取手段と、前記原稿の搬送路を介して前記読取手段に対向するローラとを備え、前記ローラの表面にシェーディング部及び異物除去部を設けるとともに前記ローラの回転を制御する回転制御手段を備えることを特徴とする。さらに、前記ローラの下方には異物収容部が備えられていることを特徴とする。さらに、前記回転制御手段は、用紙搬送時には前記シェーディング部を読取手段に対向させるとともに用紙非搬送時には前記異物除去部を読取手段に対向させて回転動作させることを特徴とする。
【００１１】
上記のような構成を有することで、読取手段と対向するローラの表面にシェーディング部及び異物除去部を設けたことで、シェーディング補正に影響を及ぼすような汚れを必要なときにいつでも除去することができる。すなわち、ローラを回転制御手段により回転させることで、シェーディング補正を行うときにはシェーディング部を読取手段に対向させておき、必要に応じて回転させて異物除去部を読取手段に対向させてその読取面の異物を除去するとともに、シェーディング部に付着した汚れも回転動作によって振り落とされるため、シェーディング部の清掃も行うことができる。
【００１２】
そして、読取面から除去された汚れやシェーディング部から振り落とされた汚れは、ローラの下方に配置した異物収容部に回収され、メンテナンス時等にまとめて廃棄することができる。
【００１３】
【発明の実施の形態】
以下、本発明に係る実施形態について詳しく説明する。図１は、本発明に係る画像読取装置を備えた画像形成装置全体の概略を示している。画像形成装置の上部には原稿を搬送して原稿の両面を読み取る原稿読取部１が配置され、その下部に画像を記録する記録部２、画像を記録する用紙を搬送する用紙搬送部３及び給紙部４が配されている。
【００１４】
給紙部４には、給紙カセット５に複数枚の用紙が積載してセットされており、一枚ずつ用紙搬送部３に給紙される。給紙された用紙は用紙搬送部３の搬送ローラ６等により記録部２に搬送されて画像を記録し排出ローラ１５により用紙排出トレイ１６に排出される。図１では、用紙の搬送経路を点線で示している。
【００１５】
記録部２では、用紙搬送部３により搬送された用紙に記録するために、現像器７、帯電器９、感光体ドラム１０、転写ローラ１１、露光ヘッド１２、メモリ除去ブラシ１３及び定着ローラ１４が備えられている。まず、感光体ドラム１０の表面を帯電器９により一様に帯電させ、帯電された感光体ドラム１０に露光ヘッド１２で画像記録信号に応じて露光することで静電潜像を形成する。次に、現像器７内のトナーを現像ローラ８によって感光体ドラム１０に形成された静電潜像に転移させて可視像化し、転写ローラ１１により感光体ドラム１０表面に形成されたトナー像を用紙に転写する。そして、転写されたトナー像は、定着ローラ１４によって加熱・プレスして用紙に定着される。
【００１６】
こうして、感光体への帯電、露光、現像、用紙への転写および定着といった一連のプロセスが行われて、用紙に画像形成がなされる。転写後に感光体ドラム１０の表面に残留したトナーは、メモリ除去ブラシ（ＥＲＳブラシ）１３により付着力が弱められ、感光体ドラム１０の表面上に分散させられる。そして、残留トナーは、現像ローラ８で回収される。
【００１７】
原稿読取部１は、後述する原稿搬送装置及び原稿の裏面を読み取る裏面読取装置を内部に備えたカバー部１７と、スキャナ１９を備えた読取本体部１８からなる。読取本体部１８の上面には、搬送される原稿を読み取る部分にプラテンガラス２０が配置され、原稿や本等を載置して読み取る部分に透明なガラス材からなる載置ベッド２１が配置されている。搬送原稿を読み取る場合にはスキャナ１９をプラテンガラス２０に対向する位置に静止させて読み取り動作を行い、載置ベッド２１に載置された原稿等を読み取る場合にはスキャナ１９を走査して読み取り動作を行うようにする。カバー部１７の載置ベッド２１に対向する面には原稿押え３４が取り付けられており、また、その上部には複数枚の原稿を載置しておく原稿トレイ２２が設けられている。
【００１８】
図２は、原稿読取部１の構成を示した概略図である。点線で示した原稿の搬送経路に沿って、フィードローラ２３、リタードローラ２４及びピックアップローラ２５からなる給紙ローラ群、位置決めローラ２６、第一搬送ローラ２７及び第二搬送ローラ２９からなる読取搬送ローラ群、第一プラテンローラ２８、第二プラテンローラ３０、排出ローラ３２が配設されている。
【００１９】
読取開始時には、原稿トレイ２２に載置された原稿を原稿セットセンサ４０が検知すると、給紙ローラ群のピックアップローラ２５が原稿を押さえ込み、フィードローラ２３及びリタードローラ２４が回転動作して原稿が一枚ずつ搬送路に給紙される。そして、給紙された原稿は搬送路を進み、位置決めセンサ４１が原稿の先端部を検知すると、一旦位置決めローラ２６の搬送クラッチはＯＦＦされ、駆動伝達が停止される。そして、位置決めローラ２６のニップ部に原稿の先端が突き当てられて位置決めされた後搬送クラッチがＯＮされて原稿の搬送が再開される。
【００２０】
その後定速で搬送する第一搬送ローラ２７に搬送されて原稿の先端を第一読取用センサ４２が検知すると、所定のタイミングでスキャナ１９によりまず原稿の表面が読み取られていく。原稿の先端はプラテンガラス２０と第一プラテンローラ２８との間を通り第二搬送ローラ２９に搬送され、第二搬送ローラ２９は第一搬送ローラ２７と同一の速度で原稿を搬送するため、原稿は定速で搬送されながら読み取られていくことになる。
【００２１】
第二搬送ローラ２９によって搬送された原稿の先端を第二読取用センサ４３が検知すると、所定のタイミングでＣＩＳ（Ｃｏｎｔａｃｔ　Ｉｍａｇｅ　Ｓｅｎｓｏｒ）３１が原稿の裏面を読み取り、原稿の先端はそのまま排出ローラ３２に搬送されて、排出ローラ３２から原稿排出トレイ３３へ搬出される。第二プラテンローラ３０は、ＣＩＳ３１に対向して設けられており、ＣＩＳ３１と搬送される原稿との間の間隔が所定の間隔を超えないようにセットされている。
【００２２】
図示されていない制御装置により、フィードローラ２３、位置決めローラ２６ａ、第一搬送ローラ２７ａ、第二搬送ローラ２９ａ及び排出ローラ３２ａが駆動制御され、リタードローラ２４、位置決めローラ２６ｂ、第一搬送ローラ２７ｂ、第二搬送ローラ２９ｂ及び排出ローラ３２ｂが従動ローラとして機能する。第一プラテンローラ２８及び第二プラテンローラ３０は原稿搬送に合せて回動制御してもよく、特に、第二プラテンローラ３０の場合には回動制御することで読取動作をより向上させることができる。
【００２３】
読取本体部１８の上面には、プラテンガラス２０と載置ベッド２１との間にローラ支持部材５０が設けられている。図３に示すように、ローラ支持部材５０は、第二プラテンローラ３０を回動自在に支持するとともに、第二プラテンローラ３０の長手方向に沿ってその両側に延設部５１が設けられている。さらに、原稿搬送方向の上流側から、第一ガイド部５２、ローラ溝部５３、第二ガイド部５４及び第三ガイド部５５が順に配設される。これらは、第二プラテンローラ３０の軸方向とほぼ平行に形成されている。
【００２４】
そして、第二ガイド部５４と第三ガイド部５５との間に第二プラテンローラ３０が配置されている。第一ガイド部５２、第二ガイド部５４及び第三ガイド部５５のガイド面は、それぞれ原稿搬送方向の下流側に向けて上昇する傾斜面となっており、原稿搬送経路に沿って第一ガイド部５２から第三ガイド部５５にいくに従い高くなるように形成されている。
【００２５】
ローラ溝部５３は、カバー部１７と読取本体部１８とが閉鎖状態にあるときに第二搬送ローラ２９を装填する。第二搬送ローラ２９が装填した状態で、第一ガイド部５２は、スキャナ１９及び第一プラテンローラの間を通過した原稿を第二搬送ローラ２９に案内するように作用し、第二ガイド部５４は第二搬送ローラ２９から搬出された原稿をＣＩＳ３１及び第二プラテンローラ３０の間に案内するとともに、第三ガイド部５５はＣＩＳ３１及び第二プラテンローラ３０の間を通過した原稿をカバー部１７の原稿搬送経路に案内するように作用する。
【００２６】
以上のような構成であるから、読取本体部１８にはスキャナ１９及び第二プラテンローラ３０が設けられ、カバー部１７には第一プラテンローラ２８及びＣＩＳ３１が設けられているから、図３に示すように、カバー部１７を開くと、スキャナ１９及び第一プラテンローラ２８は離間した状態に置かれ、ＣＩＳ３１及び第二プラテンローラ３０も同様に離間した状態に置かれることになる。この状態では、ＣＩＳ３１及び第二プラテンローラ３０の用紙と当接する面が露出した状態となり、その表面を簡単に清掃することができるとともに、メンテナンス等の作業も簡単に行うことができる。同様にスキャナ１９の前面にあるプラテンガラス２０及び第一プラテンローラ２８の露出面も簡単に清掃することができ、メンテナンス作業も効率よく行える。そして、何らかの原因で原稿が途中で詰まりジャムが生じたとしても、カバー部１７を開けることで、ジャムを起こした原稿を簡単に取り除くことができる。
【００２７】
また、以上の実施形態では、カバー部１７に第一プラテンローラ２８及びＣＩＳ３１を取り付けて、読取本体部１８にスキャナ１９及び第二プラテンローラ３０を取り付けたが、読取手段とプラテンを離間した状態にすることが可能であれば、いずれに読取手段及びプラテンを設けても構わない。また、両者を離間させる構成としてカバー部及び本体部を用いているが、それ以外に画像読取装置の内部で離間させる構成をとることも可能である。
【００２８】
上述した実施例のように原稿を上から下へ湾曲して搬送していく場合「発明が解決しようとする課題」においても説明したように、原稿トレイで上面に付着していた紙粉、消しゴムの滓等の異物が下方向に湾曲して搬送する際に分離して下側の搬送ガイドに堆積したり、落下したりする。ガイドに堆積した異物は後続の原稿に付着して、ＣＩＳ３１の所まで搬送される。また、落下した異物は先行する原稿の上面に付着して同様にＣＩＳ３１の所まで搬送される。そして、ＣＩＳ３１と第二プラテンローラ３０との間を原稿が通過した際にＣＩＳ３１に異物が付着することになる。
【００２９】
そこで、このようにＣＩＳ３１に頻繁に付着する異物を除去するため、第二プラテンローラ３０に異物除去部としてブラシ部が設けられている。図４に示すように、第二プラテンローラ３０の表面には、シェーディング部３５及びブラシ部３６が設けられている。シェーディング部３５は、基準となる白色領域がＣＩＳ３１の読取部分の幅よりも広い幅で軸方向に沿って設けられている。シェーディング部３５とＣＩＳ３１の対向面との間の間隔は、０．１ｍｍから２．０ｍｍの範囲に設定されている。
【００３０】
第二プラテンローラ３０は、シェーディング補正時には図４（ａ）に示すようにＣＩＳ３１に対向する位置にシェーディング部３５が来るように回転制御される。ブラシ部３６は、シェーディング部３５の領域以外の残りの領域に多数の線状体からなるブラシが植設されている。ブラシの線状体は同じ長さで植設されており、図４（ｂ）に示すように第二プラテンローラ３０の回転時にはＣＩＳ３１の表面を摺動して紙粉等の異物を除去する。ブラシの線状体に導電性材料（金属繊維、カーボン繊維等）を用いれば、摺動時にＣＩＳ３１に蓄積された静電気を除去することもできる。
【００３１】
除去された異物は収容器５６内に集められる。収容器５６は、図２に示すようにローラ支持部材５０の内部に配置されており、第二プラテンローラ３０の軸方向に沿ってその幅よりも広い幅の開口部を有している。ブラシ部３６から落下する異物はその開口部においてすべて収容される。
【００３２】
収容器５６内の底面には粘着シートを貼着しておけば、一旦収容された異物が再度飛散することを防止することができる。収容器５６は、ローラ支持部材５０に着脱自在に取り付けられており、定期的に取り外して集められた異物を回収する。
【００３３】
次に、第二プラテンローラ３０の回転制御について説明する。図５に示すように、回転軸３７は電磁クラッチ３８を介して従動プーリー３９に連結されており、従動プーリー３９は搬送モータ６１により駆動されるように連結されている。電磁クラッチ３８及び搬送モータ６１は画像形成装置の制御部６０によって制御される。
【００３４】
図６は、制御部６０のブロック構成の概略を示している。原稿読取部１では、原稿セットセンサ４０、位置決めセンサ４１、第一読取用センサ４２、第二読取用センサ４３からの検知信号は、ＡＤＦバス及び本体バスを介してＣＰＵ６３に送信される。ＣＰＵ６３では、ＲＯＭ６４に記憶されたプログラム又はＣＯＤＥＣ６８を用いて演算処理が行われ、必要に応じてＳＲＡＭ６５及びＤＲＡＭ６６にデータが一時記憶される。ＣＰＵ６３からの制御信号は、本体バス及びＡＤＦバスを介して搬送モータ６１、搬送クラッチ６２、スキャナ１９及び電磁クラッチ３８にそれぞれ出力される。また、画像形成に必要な画像信号やそのための制御信号が記録部２に出力される。操作部６７では、操作者によって指定されたデータが入力されたり、アラームやメッセージ等が表示される。
【００３５】
こうした構成で第二プラテンローラ３０を回転制御を行う場合の一例として、一枚の原稿の読取終了のたびに回転制御を行う場合を説明する。図７にそのフローを示している。
【００３６】
原稿セットセンサ４０が原稿を検知してＯＮになると（Ｓ１００）、搬送クラッチがＯＮされて搬送モータが駆動され、原稿の搬入が開始される（Ｓ１０１）。原稿が搬入されて位置決めセンサ４１が原稿の先端を検知してＯＮになると（Ｓ１０２）、一旦位置決めローラ２６の搬送クラッチはＯＦＦとなって、駆動伝達が停止され、位置決めローラ２６のニップ部に原稿の先端が突き当てられて位置決めされる。
【００３７】
そして、位置決めローラ２６の搬送クラッチがＯＮされて原稿の搬送が再開され（Ｓ１０３）、第一読取用センサ４２が原稿の先端を検知してＯＮになると（Ｓ１０４）、スキャナ１９の読取動作が開始されて原稿の表面が読み取られる（Ｓ１０５）。原稿が搬送されて次の第二読取用センサ４３が原稿の先端を検知してＯＮになると（Ｓ１０６）、ＣＩＳ３１の読取動作が開始されて原稿の裏面が読み取られる（Ｓ１０７）。そして、第一読取用センサ４２が原稿の後端を検知してＯＦＦになると（Ｓ１０８）スキャナ１９は読取動作を終了し（Ｓ１０９）、次に第二読取用センサ４３が原稿の後端を検知してＯＦＦになると（Ｓ１１０）ＣＩＳ３１の読取動作が終了する（Ｓ１１１）。
【００３８】
ＣＩＳ３１の読取動作終了後電磁クラッチ３８がＯＮとなり（Ｓ１１２）、搬送モータ６１の回転駆動が従動プーリー３９を介して回転軸３７に伝達されて第二プラテンローラ３０が回転し（Ｓ１１３）、ブラシ部３６がＣＩＳ３１の表面を摺動して表面に付着した紙粉等の異物を除去する。所定の回数回転させた後元の位置に戻し、シェーディング部３５がＣＩＳ３１に対向する状態となる。
【００３９】
第二プラテンローラ３０が回転動作する際にシェーディング部３５に付着している紙粉等の異物が振り落とされて、シェーディング部３５の清掃も併せて行うことができる。第二プラテンローラ３０の回転制御は、一方向への回転だけでなく、双方向へ所定角度往復回転させてブラシ部３６がＣＩＳ３１の表面を往復揺動するようにしてもよい。
【００４０】
そして、電磁クラッチ３８をＯＦＦして（Ｓ１１４）、次の原稿の搬送を行う。このように、原稿が搬送される毎にＣＩＳ３１の表面が清掃されるためシェーディング補正が行われる際に異物の影響を確実に避けることができる。
【００４１】
以上のようなブラシ部３６による清掃を行うための回転動作は、装置の主電源がＯＮされた際に行ってもよい。こうした回転制御を行うことで装置の停止時に静電気等によりＣＩＳ３１に付着した異物を除去することができる。
【００４２】
また、原稿の裏面を読み取る両面モードが操作部６７で選択されたときに上述した回転動作を行えば、ＣＩＳ３１の最初の原稿読取から異物を除去した状態で読取動作を行うことが可能となる。
【００４３】
また、原稿が詰まってしまいその回復動作を行う際に、紙粉等の異物がＣＩＳ３１に付着することが多いことから、上述の回転動作を行うと有効である。このように、原稿の非搬送時に適宜清掃のための回転動作を行えば、常に良好な読取動作を行うことができる。
【００４４】
なお、第一プラテンローラ３０にブラシ部を設けた例で説明してきたが、第一プラテンローラ２８に同様のブラシ部を設けて回転制御すれば、プラテンガラス２０の清掃とともにシェーディング部に付着した紙粉を振り落として清掃を行うことができる。
【００４５】
また、原稿が湾曲して搬送されて上面が下面となってスキャナ１９に読み取られていく際に落下した異物が原稿の上面となった側に滞留する。こうして滞留した異物も第一プラテンローラ２８を回転制御して異物を除去するようにすれば、ＣＩＳ３１で原稿の上面側を読み取る際にＣＩＳ３１に異物が付着することを避けることができる。
【００４６】
第一プラテンローラ２８のブラシ部によって集められる異物はその両側に配置されたガイド部材の内側に異物収容部を設ければ回収が容易になる。
【００４７】
【発明の効果】
以上に説明したとおり、読取手段と対向するローラの表面にシェーディング部及び異物除去部を設けたことで、シェーディング補正に影響を及ぼすような汚れを必要なときにいつでも除去することができる。すなわち、ローラを回転制御手段により回転させることで、シェーディング補正を行うときにはシェーディング部を読取手段に対向させておき、必要に応じて回転させて異物除去部を読取手段に対向させてその読取面の異物を除去するとともに、シェーディング部に付着した汚れも回転動作によって振り落とされるため、シェーディング部の清掃も行うことができる。
【００４８】
そして、読取面から除去された汚れやシェーディング部から振り落とされた汚れは、ローラの下方に配置した異物収容部に回収され、メンテナンス時等にまとめて廃棄することができる。
【図面の簡単な説明】
【図１】本発明に係る実施形態を備えた画像形成装置全体の概略側面図である。
【図２】本発明に係る実施形態の部分概略側面図である。
【図３】本発明に係る実施形態のカバー部を開いたときの斜視図である。
【図４】本発明に係る実施形態のプラテンローラの動作説明図である。
【図５】本発明に係る実施形態のプラテンローラの駆動機構の概略図である。
【図６】本発明に係る実施形態の制御部のブロック構成図である。
【図７】本発明に係る実施形態の原稿搬送時のフロー図である。
【符号の説明】
１　　原稿読取部
２　　記録部
３　　用紙搬送部
４　　給紙部
５　　給紙カセット部
６　　搬送ローラ
７　　現像器
８　　現像ローラ
９　　帯電器
１０　　感光体ドラム
１１　　転写ローラ
１２　　露光ヘッド
１３　　メモリ除去ブラシ
１４　　定着ローラ
１５　　排出ローラ
１６　　用紙排出トレイ
１７　　カバー部
１８　　読取本体部
１９　　スキャナ
２０　　プラテンガラス
２１　　載置ベッド
２２　　原稿トレイ
２３　　フィードローラ
２４　　リタードローラ
２５　　ピックアップローラ
２６　　位置決めローラ
２７　　第一搬送ローラ
２８　　第一プラテンローラ
２９　　第二搬送ローラ
３０　　第二プラテンローラ
３１　　ＣＩＳ（Ｃｏｎｔａｃｔ　Ｉｍａｇｅ　Ｓｅｎｓｏｒ）
３２　　排出ローラ
３３　　原稿排出トレイ
３４　　原稿押え
３５　　シェーディング部
３６　　ブラシ部
３７　　回転軸
３８　　電磁クラッチ
３９　　従動プーリー
４０　　原稿セットセンサ
４１　　位置決めセンサ
４２　　第一読取用センサ
４３　　第二読取用センサ
５０　　ローラ支持部材
５１　　延設部
５２　　第一ガイド部
５３　　ローラ溝部
５４　　第二ガイド部
５５　　第三ガイド部
６０　　制御部
６１　　搬送モータ
６２　　搬送クラッチ
【図１】
2004048184.tif 000003
【図２】
2004048184.tif 000004
【図３】
2004048184.tif 000005
【図４】
2004048184.tif 000006
【図５】
2004048184.tif 000007
【図６】
2004048184.tif 000008
【図７】
2004048184.tif 000009